(57)【要約】【課題】本発明は、本発明は、マーカ上昇収納時にあっても機体の横幅内に収めることによって高い畦畔での衝撃をなくして破損を防止し、また、マーカを取り外して対処する必要性をなくし、作業能率を高めることを目的とする。【解決手段】 本発明は、苗植付部（３）の左右両側に設けられていて、下降時に地面に接して次行程の苗植付位置を線引きする線引きマーカ（１１）を上昇時には機体横幅内に収納保持すべく構成する。【選択図】        図３
2018171007.tif 000002
【特許請求の範囲】
【請求項１】
苗植付部（３）の左右両側に設けられていて、下降時に地面に接して次行程の苗植付位置を線引きする線引きマーカ（１１）を上昇時には機体横幅内に収納保持すべく構成してあることを特徴とする乗用型田植機。
【請求項２】
前記線引きマーカ（１１）を支持する上下方向の支持部材（１２）と、前記機体横幅内から横外側方に向けて突設する横軸部材（１３）と、が設けられており、前記線引きマーカ（１１）は、前記横軸部材（１３）を回転させながら接地状態から順次上方に持ち上げると同時に、前記横軸部材（１３）の基端側を中心として起立状に回動反転させることによって収納保持すべく構成してあることを特徴とする請求項１記載の乗用型田植機。
【請求項３】
線引き用駆動モータ（１５）から駆動される互いに噛合う一対のベベルギヤ（１６,１７）が設けられており、前記横軸部材（１３）は、一方の前記ベベルギヤ（１７）によって回転駆動し、他方の前記ベベルギヤ（１６）によって起立状に反転駆動するよう構成してあることを特徴とするとする請求項２記載の乗用型田植機。
【発明の詳細な説明】
【技術分野】
【０００１】
この発明は、マーカ昇降機構を備えた乗用型田植機に関する。
【背景技術】
【０００２】
従来、苗の植付位置を線引きするマーカが上昇収納時にあっても機体幅より外側方に露出していた（例えば、特許文献１参照）。
【先行技術文献】
【特許文献】
【０００３】
【特許文献１】特開平１０−２４７５１号
【発明の概要】
【発明が解決しようとする課題】
【０００４】
従来技術によると、高い畦畔近くを植え付けていく場合、収納側のマーカがその高い畦畔に当たって障害となるため、マーカが破損したり、また、マーカをいちいち取り外してから作業を行うことがあり、その取り外しには非常に手間のかかる作業であった。
【０００５】
本発明は、マーカ上昇収納時にあっても機体の横幅内に収めることによって上記課題を解消し、作業能率を高めることを目的とする。
【課題を解決するための手段】
【０００６】
この発明は、上記課題を解決すべく次のような技術的手段を講じた。
【０００７】
すなわち、請求項１記載の本発明は、苗植付部（３）の左右両側に設けられていて、下降時に地面に接して次行程の苗植付位置を線引きする線引きマーカ（１１）を上昇時には機体横幅内に収納保持すべく構成してあることを特徴とする。
【０００８】
上記構成によると、畦際を植え付ける際、その畦際の畦畔が高い時であっても上昇時の線引きマーカ（１１）が機体横幅内に収納保持されているため、畦畔に接触して破損したり、線引きマーカをいちいち取り外して作業する不具合をなくすことができる。
【０００９】
請求項２記載の本発明は、請求項１において、前記線引きマーカ（１１）を支持する上下方向の支持部材（１２）と、前記機体横幅内から横外側方に向けて突設する横軸部材（１３）と、が設けられており、前記線引きマーカ（１１）は、前記横軸部材（１３）を回転させながら接地状態から順次上方に持ち上げると同時に、前記横軸部材（１３）の基端側を中心として起立状に回動反転させることによって収納保持すべく構成してあることを特徴とする。
【００１０】
上記構成によると、線引きマーカ（１１）は、支持部材（１２）と横軸部材（１３）とによって支持構成され、簡単な構成でもって確実に機体横幅内に収納保持することができる。
【００１１】
請求項３記載の本発明は、請求項２において、線引き用駆動モータ（１５）から駆動される互いに噛合う一対のベベルギヤ（１６,１７）が設けられており、前記横軸部材（１３）は、一方の前記ベベルギヤ（１７）によって回転駆動し、他方の前記ベベルギヤ（１６）によって起立状に反転駆動するよう構成してあることを特徴とする。
【００１２】
上記構成によると、簡潔な駆動機構をもって横軸部材（１３）を回転させながら起立状に反転駆動することができる。
【発明の効果】
【００１３】
以上要するに、請求項１記載の本発明によれば、畦際を植え付ける際、その畦際の畦畔が高い場合であっても上昇時の線引きマーカが機体横幅内に収納保持されているため、畦畔に接触して破損したり、線引きマーカをいちいち取り外して作業する不具合をなくすことができる。
【００１４】
請求項２記載の本発明によれば、請求項１記載の効果に加えて、線引きマーカは、支持部材と横軸部材とによって支持構成され、簡単な構成でもって確実に機体横幅内に収納保持することができる。
【００１５】
請求項３記載の本発明によれば、請求項２記載の効果に加えて、簡潔な駆動機構をもって横軸部材を回転させながら起立状に反転駆動することができる。
【図面の簡単な説明】
【００１６】
【図１】乗用型田植機の斜視図
【図２】乗用型田植機の背面図
【図３】線引きマーカ昇降機構を備えた要部の背面図
【図４】水車マーカを手すりに収納した状態を示す斜視図
【図５】手すり及び受台を備えた田植機の斜視図
【図６】同上要部の斜視図
【図７】同上要部の正面図
【発明を実施するための形態】
【００１７】
この発明の実施例を図面に基づき説明する。
【００１８】
図１及び図２は、乗用型田植機（乗用型移植機）１を示すものであり、走行車体２の後側に昇降リンク機構を介して苗植付部３が昇降可能に装着されている。
【００１９】
走行車体２は、駆動輪である左右一対の前輪４，４及び後輪５，５を備える四輪駆動車両である。
【００２０】
走行車体の中央側には運転席６が設置され、その前側にステアリングハンドル７が設けられ、ハンドル操作により前輪４,4を操舵するようになっている。
【００２１】
苗植付部３は、苗を載せる苗載せタンク３ａ、苗を植え込む植込装置３ｂ、圃場を整地する整地フロート３ｃ等からなる。
【００２２】
なお、８は苗箱を載置する補助苗枠、９は植付後の隣接の植付苗位置に沿わせて機体を進行する隣接マーカを示す。
【００２３】
苗植付部３には、機体横幅方向の最外側位置において安全ガード１０が機枠に強固に連結保持され、苗植付部を畦畔から保護するようになっている。
【００２４】
苗植付部３の左右両側には、圃場面に接して次行程の苗植付位置を線引きする線引きマーカが昇降可能に設けられるが、詳細は図３に示し、その構成は左右同一であるため、実施例では片側のみ具体的に説明する。
【００２５】
線引きマーカ１１は、実施例では転動自在の水車によって構成され、上下方向の支持部材１２に着脱自在に軸支されている。
【００２６】
機体横幅内（苗植付部横幅内）から横側方に向けて突設する横軸部材１３には、支持部材１２の上端がスプリング１４を介して抜き差し可能に装着されている。
【００２７】
線引き用駆動モータ１５から駆動される第１ベベルギヤ１６と第２ベベルギヤ１７とは互いに噛合って回転駆動されるようになっており、第１ベベルギヤ１６は、機体横幅内に架設された前後方向の軸芯１８回りに回転するようになっており、また、第２ベベルギヤ１７は、横軸部材１３に固着されて一体的に回転するようになっている。
【００２８】
横軸部材１３は、第２ベベルギヤ１７によって回転しながら支持部材１２を上昇させると同時に、軸芯１８を中心として上昇回動し、起立状に反転して収納されるようになっている。
【００２９】
なお、線引きマーカ１１が機体横幅内に収納保持されることは、少なくとも、苗植付部３の左右の安全ガード１０よりも内側に収納保持されることが高い畦畔に対応できる。
【００３０】
左側の畦際に沿って苗植付作業を開始するにあたり、苗植付部３を圃場面の苗植付位置まで下降させると、右側の線引きマーカ１１が下降し、苗植え付け作業と同時に次行程の苗植付位置が線引きされていく（実施例では水車マーカの転動によって線引きされる）。この時、左側の線引きマーカは機体横幅内において起立状に収納保持された状態にある。従って、左側の畦畔が非常に高い状態にあってもマーカが接触して障害を受けることが回避される。
【００３１】
そして、一行程の苗植付作業が終了して苗植付部を上昇し、機体を回行して次行程の植付作業に移行し、苗植付部を下降すると、左側の線引きマーカが下降して線引き体勢となり、右側の線引きマーカは上昇して収納姿勢となる。
【００３２】
次に、図４に示す実施例につき説明すると、田植機のメインフレームのプレート１９に取り付けられたホルダ２０により線引き用水車マーカ１１の支持部材１２を係合保持するようにし、運転席６の左右両側に手すり２１を突設し、その手すりに取り付けられた２本の引っ掛け具２２に水車マーカ１１の水車部分を支持することで水車マーカを収納できるようになっている。
【００３３】
図５に示すように、手すり２１は、運転席６の左右両側に突設され、乗降時における運転者の支えとなるようになっている。
【００３４】
手すり２１のいずれか一方又は両方に折り畳み式の受台２３が設けられ、燃料タンクや肥料等が載せられるようにしている。
【００３５】
受台２３は、図６に示すように、折り畳み式に構成されるが、手すり２１側を支点に回動自在に枢着２４し、支持棒２５の受台側の数個の支持穴２６に対する位置を変えることによって、図７の(A)に示す水平状、（B）に示す傾斜状、（C）に示す折り畳み収納状態となるよう構成されている。
【符号の説明】
【００３６】
３    苗植付部
１０    安全ガード
１１    線引きマーカ
１２    支持部材
１３    横軸部材
１５    線引き用駆動モータ
１６    第１ベベルギヤ
１７    第２ベベルギヤ
１８    軸芯
【図１】
2018171007.tif 000003
【図２】
2018171007.tif 000004
【図３】
2018171007.tif 000005
【図４】
2018171007.tif 000006
【図５】
2018171007.tif 000007
【図６】
2018171007.tif 000008
【図７】
2018171007.tif 000009